(57)【要約】【課題】緑色ＬＥＤに動作電圧のバラツキがあっても、簡単な構成で緑色ＬＥＤ内を流れる電流の電流値が大きく異なることのないレンズメータを提供すること。【解決手段】被検レンズＬに測定光束を照射する緑色ＬＥＤ１３と、前記緑色ＬＥＤ１３に電源を供給する電源供給回路ＳＣと、前記被検レンズＬを透過した測定光束を受光する受光素子（ＣＣＤ１１）と、前記受光素子（ＣＣＤ１１）の出力に基づいて前記被検レンズＬの屈折特性を演算する演算制御回路２４を有する。しかも、前記電源は前記緑色ＬＥＤ１３の動作電圧より大きく設定された第１電圧値を有する。また、前記電源供給回路は前記第１電圧値を前記緑色ＬＥＤ１３の動作電圧である第２電圧値に設定するための抵抗Ｒを有する。【選択図】  図３
2006071325.tif 000002
【特許請求の範囲】
【請求項１】
被検レンズに測定光束を照射する緑色ＬＥＤと、
前記緑色ＬＥＤに電源を供給する電源供給回路と、
前記被検レンズを透過した測定光束を受光する受光素子と、
前記受光素子の出力に基づいて前記被検レンズの屈折特性を演算する演算制御回路とを有し、
前記電源は前記緑色ＬＥＤの動作電圧より大きく設定された第１電圧値を有すると共に、前記電源供給回路は前記第１電圧値を前記緑色ＬＥＤの動作電圧である第２電圧値に設定するための抵抗を有することを特徴とするレンズメータ。
【請求項２】
前記電源供給回路を介して前記緑色ＬＥＤに供給される電源は前記受光素子に用いられる受光素子用電源であることを特徴とする請求項１に記載のレンズメータ。
【請求項３】
前記電源は前記第１電圧値が前記緑色ＬＥＤの動作電圧の数倍に設定されていることを特徴とする請求項１又は２に記載のレンズメータ。
【発明の詳細な説明】
【技術分野】
【０００１】
この発明は、緑色のＬＥＤを測定光束に用いたレンズメータに関するものである。
【背景技術】
【０００２】
従来のレンズメータとしては、測定光束を被検レンズに対して投影する光源として緑色ＬＥＤを用いたオートレンズメータが知られている（例えば特許文献１参照）。
【０００３】
この緑色ＬＥＤとしては、例えば４Ｖの動作電圧で動作するように設計されているものもある。この場合、５Ｖの電源からの電圧を抵抗を介して４Ｖに降下させ、この降下させた４Ｖの電圧を緑色ＬＥＤに印加して、緑色ＬＥＤを発光させるようにしている。
【０００４】
ところで、緑色ＬＥＤの動作電圧は、実際には製品バラツキによって例えば略３．５〜４Ｖの範囲の値となっている。このため、動作電圧が４Ｖで設計された回路に製品バラツキによる実際の動作電圧が３．５Ｖ〜４Ｖの緑色ＬＥＤを配線接続した場合、動作電圧が３．５Ｖと４Ｖでは緑色ＬＥＤの内部を流れる電流の電流値に大きな差が生じるものであった。
【特許文献１】特開平１１−３２６１２５号公報参照
【発明の開示】
【発明が解決しようとする課題】
【０００５】
しかしながら、緑色ＬＥＤでは、内部を流れる電流の電流値が変化すると、発光する光の波長が変化するため、緑色ＬＥＤ内を流れる電流の電流値が動作電圧のバラツキによって大きく異なるのは好ましいものではなかった。
【０００６】
そこで、本発明は、緑色ＬＥＤに動作電圧のバラツキがあっても、簡単な構成で緑色ＬＥＤ内を流れる電流の電流値が大きく異なることのないレンズメータを提供することを目的とするものである。
【課題を解決するための手段】
【０００７】
この目的を達成するため、この発明は、被検レンズに測定光束を照射する緑色ＬＥＤと、前記緑色ＬＥＤに電源を供給する電源供給回路と、前記被検レンズを透過した測定光束を受光する受光素子と、前記受光素子の出力に基づいて前記被検レンズの屈折特性を演算する演算制御回路とを有し、前記電源は前記緑色ＬＥＤの動作電圧より大きく設定された第１電圧値を有すると共に、前記電源供給回路は前記第１電圧値を前記緑色ＬＥＤの動作電圧である第２電圧値に設定するための抵抗を有するレンズメータとしたことを特徴とする。
【発明の効果】
【０００８】
この構成によれば、緑色ＬＥＤに動作電圧のバラツキがあっても、簡単な構成で緑色ＬＥＤ内を流れる電流の電流値が大きく変化するのを防止できる。
【発明を実施するための最良の形態】
【０００９】
以下、この発明の実施の形態を図面に基づいて説明する。
【００１０】
図１において、１はレンズメータの本体ケース、２は本体ケース１の正面上部に設けられた表示装置（表示手段）としての液晶表示器、３は本体ケース１の正面の上下方向の中間部に突設された上筐体部、４は本体ケース１の正面の下部に突設された下筐体部、５は下筐体部３上に設けられた円錐筒状で且つ頂部が裁断されたレンズ受である。このレンズ受５上にはメガネＭの被検レンズＬが載置される。
【００１１】
また、上筐体部２内には、図２に示したように測定光束をレンズ受５上の被検レンズＬに投影する投影光学系１０が設けられている。さらに、下筐体部３内には、エリアセンサである二次元のＣＣＤ（受光素子）１１と、被検レンズを透過する測定光束をＣＣＤ１１に導く受光光学系１２が設けられている。尚、投影光学系１０と受光光学系１２は被検レンズの屈折特性を測定する測定光学系Ｓを構成している。
【００１２】
この投影光学系１０は、光源である緑色ＬＥＤ１３，ピンホール１４ａが設けられたピンホール板１４及びコリメータレンズ１５をこの順に有する。また、受光光学系１２は、ハルトマンプレート等のパターン板１６，スクリーン１７及び結像レンズ１８を有する。
【００１３】
更に、図２のＣＣＤ１１は図３に示したＣＣＤ駆動回路１９により駆動制御されるようになっている。しかも、ＣＣＤ駆動回路１９には、配線２０を介して電源回路２１から１８Ｖの電圧が供給されるようになっている。
【００１４】
また、電源回路（電源）２１から緑色ＬＥＤ１３には電源供給回路ＳＣを有する。この電源供給回路ＳＣは、配線２０に一端が接続された配線２０ａと、配線２０ａに一端が接続された抵抗Ｒと、この抵抗Ｒの他端に一端が接続された配線２２を有する。そして、この配線２２の他端には緑色ＬＥＤ１３のアノード側が接続されている。この緑色ＬＥＤ１３のカソード側はアースされている。尚、抵抗Ｒは抵抗値が６９８Ωに設定されている。
【００１５】
この緑色ＬＥＤ１３はスイッチング素子２３によりＯＮ・ＯＦＦされるようになっている。尚、スイッチング素子２３は、コレクタＣが配線２２に接続され、エミッタＥがアースされ、ベースＢが演算制御回路２４に接続されている。この演算制御回路２４は、ＣＣＤ駆動回路１９を制御するようになっている。
【００１６】
次に、このような構成のレンズメータの作用を説明する。
【００１７】
このような構成においては、演算制御回路２４がスイッチング素子２３のベースに動作電圧を印加すると、スイッチング素子２３がＯＮして、緑色ＬＥＤ１３がＯＦＦする。
【００１８】
また、演算制御回路２４がスイッチング素子２３のベースへの動作電圧の印加をＯＦＦすると、スイッチング素子２３がＯＦＦして、緑色ＬＥＤ１３がＯＮし、緑色ＬＥＤ１３から緑色の測定光束が出射される。この測定光束は、図１のピンホール板１４のピンホール１４ａを介してコリメータレンズ１５に導かれて、このコリメータレンズ１５により平行光束とされ、被検レンズＬに投影される。
【００１９】
一方、被検レンズＬを透過した測定光束は、パターン板１６のパターンをスクリーン１７に投影する。このスクリーン１７に投影されたパターンは結像レンズ１８によりＣＣＤ１１に結像される。このＣＣＤ１１に結像されたパターン像はＣＣＤ駆動回路１９によりパターン像信号として取り出されて、このパターン像信号は演算制御回路２４に入力される。この演算制御回路２４は、入力されるパターン像信号から被検レンズＬの屈折特性を求めて、この求めた屈折特性を液晶表示器２に表示させる。
【００２０】
ところで、上述した緑色ＬＥＤ１３の動作電圧は個体差によって３．５〜４Ｖの範囲でバラツキがある。このような緑色ＬＥＤ１３を例えば５Ｖの電源で発光させたときに、緑色ＬＥＤ１３の動作電圧のバラツキが３．５〜４．０の範囲では、緑色ＬＥＤ１３内を流れる電流の電流値に略±１０ｍＡの変動が生じ、緑色ＬＥＤ１３から出射する光の波長が略±６ｎｍ程度変動する。また、緑色ＬＥＤ１３から出射する光の光量は、緑色ＬＥＤ１３内を流れる電流が２０ｍＡのときに１００％とすると、緑色ＬＥＤ１３内を流れる電流の電流値に略±１０ｍＡの変動が生じた場合、６０〜１４０％程度変動する。
【００２１】
この点、上述したように緑色ＬＥＤ１３の電源としてＣＣＤ駆動回路１９の１８Ｖの電源回路２１を用いた場合、緑色ＬＥＤ１３の動作電圧のバラツキが３．５〜４．０の範囲では、緑色ＬＥＤ１３内を流れる電流の電流値に略±０．１ｍＡの変動しか生ぜず、緑色ＬＥＤ１３から出射する光の波長及び光量が殆ど変動しなかった。
【００２２】
このように緑色ＬＥＤ１３の動作電圧３．５〜４Ｖの数倍である１８Ｖの電圧の電源を緑色ＬＥＤ１３の電源として用いると共に、この１８Ｖの電源の電圧を抵抗Ｒで緑色ＬＥＤ１３の動作電圧３．５〜４Ｖに対応する電圧に降下させて緑色ＬＥＤ１３に印加するようにした場合には、緑色ＬＥＤ１３の動作電圧３．５〜４Ｖに近い電圧５Ｖの電源を用いた場合に比べて、緑色ＬＥＤ１３内を流れる電流の変動を±１０ｍＡから±０．１ｍＡまで１／１００程度減少させることができた。この結果、緑色ＬＥＤ１３内を流れる電流の変動が殆ど生じなくなった。
【００２３】
尚、以上説明した実施例では緑色ＬＥＤ１３の動作電圧として４Ｖのものを用い、この緑色ＬＥＤ１３の電源として１８Ｖの電源を用いたが、必ずしもこれらの数値に限定されるものではない。要は、緑色ＬＥＤ１３の動作電圧のバラツキがあっても、緑色ＬＥＤ１３内を流れる電流の変動が殆ど生じなくなるような電源電圧を設定できれば、上述した数値に限定されるものではない。換言すれば、緑色ＬＥＤ１３の動作電圧のバラツキがあっても、緑色ＬＥＤ１３から発光される光の波長の変動を殆ど生じなくなるような電源電圧を設定できれば、緑色ＬＥＤ１３の電源の電圧は上述した数値に限定されるものではない。
【００２４】
以上説明したように、この発明の実施の形態のレンズメータは、被検レンズＬに測定光束を照射する緑色ＬＥＤ１３と、前記緑色ＬＥＤ１３に電源（電源回路２１）を供給する電源供給回路ＳＣと、前記被検レンズＬを透過した測定光束を受光する受光素子（ＣＣＤ１１）と、前記受光素子（ＣＣＤ１１）の出力に基づいて前記被検レンズＬの屈折特性を演算する演算制御回路２４を有する。しかも、前記電源（電源回路２１）は前記緑色ＬＥＤ１３の動作電圧より大きく設定された第１電圧値を有する。また、前記電源供給回路ＳＣは前記第１電圧値を前記緑色ＬＥＤ１３の動作電圧である第２電圧値に設定するための抵抗Ｒを有する。
【００２５】
この構成によれば、緑色ＬＥＤ１３に動作電圧のバラツキがあっても、緑色ＬＥＤ１３内を流れる電流の電流値が大きく変化するのを防止して、緑色ＬＥＤ１３から出射する光の波長及び光量が殆ど変動しないようにできる。
【００２６】
また、緑色ＬＥＤ１３に電源を供給する回路に電力のバラツキがあっても、同様に緑色ＬＥＤ１３から出射される光の波長のバラツキを防ぐことができる。
【００２７】
また、この発明の実施の形態のレンズメータにおいて、前記電源供給回路ＳＣを介して前記緑色ＬＥＤ１３に供給される電願は前記受光素子（ＣＣＤ１１）に用いられる受光素子用電源（電源回路２１）となっている。
【００２８】
この構成によれば、緑色ＬＥＤ１３の電源として前記受光素子（ＣＣＤ１１）の受光素子用電源（電源回路２１）を用いているので、緑色ＬＥＤ１３専用の電源を別途設ける必要がない。
【００２９】
更に、この発明の実施の形態のレンズメータにおいて、前記電源（電源回路２１）は前記第１電圧値が前記緑色ＬＥＤ１３の動作電圧の数倍に設定されている。
【００３０】
このように前記電源（電源回路２１）を前記第１電圧値が前記緑色ＬＥＤ１３の動作電圧の数倍に設定することにより、簡単な構成で緑色ＬＥＤ１３内を流れる電流の電流値が大きく変化するのを防止できる。
【図面の簡単な説明】
【００３１】
【図１】この発明に係るレンズメータの一例を示す概略斜視図である。
【図２】図１のレンズメータの光学系を示す説明図である。
【図３】図２の緑色ＬＥＤの制御回路図である。
【符号の説明】
【００３２】
１１…ＣＣＤ（受光素子）
１３…緑色ＬＥＤ
２１…電源回路（電源）
２４…演算制御回路
Ｌ…被検レンズ
Ｒ…抵抗（電源供給回路の一部）
ＳＣ…電源供給回路
【図１】
2006071325.tif 000003
【図２】
2006071325.tif 000004
【図３】
2006071325.tif 000005